(57)【要約】【課題】リモコン本体を取付位置から外してこれを掃除しているときに、スイッチ操作部を押してしまうことによって水栓を誤動作させてしまうのを防止することのできる水栓用のリモコン装置を提供する。【解決手段】カウンタ１４に脱着可能に取り付けられるリモコン本体２４に、水栓に各種動作を行わせるためのスイッチ３３と、スイッチ３３に対応したＩＣチップ３４及びアンテナ４２を有する無線タグとを設ける一方、カウンタ１４にはタグリーダ４４をリモコン本体２４に対して対面する位置に配設し、無線タグからの送信信号をタグリーダ４４で受信して水栓に伝送し、水栓を遠隔操作するようになす。また無線タグとタグリーダ４４とは、リモコン本体２４がカウンタ１４に取付状態にあるとき交信可能、カウンタ１４から外されたときに交信不能となるようにその交信距離を定めておく。【選択図】        図２
2009263941.tif 000002
【特許請求の範囲】
【請求項１】
カウンタ等の取付基体に脱着可能に取り付けられるリモコン本体に、水栓に各種動作を行わせるためのスイッチと、該スイッチに対応した無線タグと、を設ける一方、前記取付基体にはタグリーダを前記リモコン本体に対して対面する位置に配設し、
該無線タグからの送信信号を該タグリーダで受信して前記水栓に送信し、該水栓を遠隔操作するようになしてあり、
且つ前記無線タグとタグリーダとは、前記リモコン本体が前記取付基体に取付状態にあるとき交信可能、該取付基体から外されたときに交信不能となるようにその交信距離が定めてあることを特徴とする水栓用のリモコン装置。
【発明の詳細な説明】
【技術分野】
【０００１】
この発明は、水栓を遠隔操作する水栓用のリモコン装置に関する。
【背景技術】
【０００２】
従来、水栓を操作するためのリモコン装置として図４に示すようなものが公知である（下記特許文献１に開示）。
図において２００はキッチンの流し台で、２０２，２０４はそれぞれ流し台２００に備えられたシンク，カウンタである。
カウンタ２０４には水栓２０６が設置されている。
２０８は、水栓２０６用のリモコン装置で、２１０はその主体をなすリモコン本体である。
【０００３】
リモコンの本体２１０には、水栓２０６に各種動作を行わせるためのスイッチが内部に設けてあり、またその上面の操作面には、それらスイッチを操作するための複数のスイッチ操作部２１２が設けてある。
リモコン本体２１０にはまた、図中左側の側面に送信部２１４が設けてある。
一方、水栓２０６側には送信部２１４に対応する位置に受信部２１６が設けてある。
尚、２１８は水栓２０６に設けられたマグネットで、リモコン本体２１０はこのマグネット２１８による吸着力により、水栓２０６に脱着可能に保持される。
【０００４】
この図４に示すものでは、リモコン本体２１０を水栓２０６に保持させた状態で、スイッチ操作部２１２を操作することによって、これに対応した信号を送信部２１４から送信し、そして受信部２１６でこれを受けて、水栓２０６に所要の動作を行わせることができる。
この場合、リモコン本体２１０を水栓２０６に固定状態に設けておくと、水栓２０６周りが掃除し難く、そこでこの図４に示すものでは、リモコン本体２１０を脱着可能となして、リモコン本体２１０を取り外すことにより水栓２０６周りを掃除し易くしている。
【０００５】
ところがリモコン本体２１０もまた濡れた手で操作することで、それ自身が濡れてしまったり、また汚れたりし易く、そこでリモコン本体２１０を、水栓２０６から取り外して掃除を行うことが必要となるが、その際にスイッチ操作部として押してしまうと、これに対応した送信信号が受信部２１６に向けて送信されてしまい（図４に示すものでは光又は超音波にて信号を送信し、受信部２１６で受信するようになしている）、水栓２０６を誤動作させてしまう恐れがある。
【０００６】
その他、取り外したリモコン本体２１０を誤って落下させたり、或いは子供がリモコン本体２１０を水栓２０６から取り外して遊んだりすることによっても水栓２０６を誤動作させてしまう恐れがある。
【０００７】
【特許文献１】特開平５−１５６６７４号公報
【発明の開示】
【発明が解決しようとする課題】
【０００８】
本発明は以上のような事情を背景とし、リモコン本体を取付位置から外してこれを掃除しているときに、スイッチ操作部を押してしまうことによって水栓を誤動作させてしまうこと、また取り外したリモコンを落下させたりすることで水栓を誤動作させてしまうのを防止することのできる水栓用のリモコン装置を提供することを目的としてなされたものである。
【課題を解決するための手段】
【０００９】
而して請求項１のものは、カウンタ等の取付基体に脱着可能に取り付けられるリモコン本体に、水栓に各種動作を行わせるためのスイッチと、該スイッチに対応した無線タグと、を設ける一方、前記取付基体にはタグリーダを前記リモコン本体に対して対面する位置に配設し、該無線タグからの送信信号を該タグリーダで受信して前記水栓に送信し、該水栓を遠隔操作するようになしてあり、且つ前記無線タグとタグリーダとは、前記リモコン本体が前記取付基体に取付状態にあるとき交信可能、該取付基体から外されたときに交信不能となるようにその交信距離が定めてあることを特徴とする。
【発明の作用・効果】
【００１０】
以上のように本発明は、リモコン本体に、水栓に各種動作を行わせるためのスイッチと、これに対応した無線タグとを設ける一方、取付基体にはタグリーダをリモコン本体に対面する位置に配設し、無線タグからの送信信号をタグリーダで受信して水栓に送信し、水栓を遠隔操作するようになすとともに、無線タグとタグリーダとは、リモコン本体が取付基体に取付状態にあるときに交信可能、取付基体から詳しくはその取付位置から外されたときに交信不能となるようにそれらの交信距離を定めたものである。
かかる本発明によれば、リモコン本体が取付基体の正規の取付位置にあるときには、リモコン本体のスイッチを操作することで、良好に水栓を動作させることができる一方、リモコン本体が取付基体の正規の取付位置から外されたとき、リモコン本体詳しくはそこに設けられた無線タグと、取付基体側のタグリーダとはそれらの間で交信不能となることから、リモコン本体を掃除しているときに例えスイッチを操作してしまうことがあっても、そのことによって水栓本体が誤動作してしまうのを有効に防止することができる。
【００１１】
或いはリモコン本体を掃除その他の作業をしているときに誤って落下させたり、或いはまた子供がそのリモコン本体を用いて遊んだりした場合においても、水栓本体が誤動作してしまうのを良好に防止することができる。
【発明を実施するための最良の形態】
【００１２】
次に本発明の実施形態を図面に基づいて詳しく説明する。
図１において、１０はキッチンの流し台で、１２は流し台１０に備えられたシンク、１４は同じく流し台１０に備えられたカウンタ（取付基体）である。
シンク１２には、底部に排水口１６が設けられており、また上端に台部１８を有していて、その台部１８に水栓２０が設置されている。
【００１３】
２２は、水栓２０を遠隔操作するためのリモコン装置で、２４はその主体をなすリモコン本体である。
カウンタ１４の使用者に近い側の前端部１４Ａの上面には、リモコン本体２４を位置決状態に係止する凹部２６が設けてあり、そこにリモコン本体２４が脱着可能に取り付けてある。
【００１４】
リモコン本体２４は扁平な板状をなす形態で構成されており、その操作面となる上面には、水栓２０に各種の動作を行わせるためのスイッチ操作部２８が突出形状で設けられている。
ここでスイッチ操作部２８-１は、水栓２０に吐止水を行わせるためのものであり、またスイッチ操作部２８-２は、吐水の流量を減少させるためのもので、スイッチ操作部２８-３は、逆に流量を増大させるものである。
またスイッチ操作部２８-４は、吐水の温度を低下させるための操作部で、スイッチ操作部２８-５は、逆に吐水の温度を上昇させるための操作部である。
【００１５】
図２に、リモコン本体２４を含むリモコン装置２２の構成が具体的に示してある。
図において、３０はリモコン本体２４における底板で、この底板３０上に基板３２が設けられている。
基板３２にはタクトスイッチから成るスイッチ３３、及び無線タグ（ＩＣタグ）の構成部品であるＩＣチップ３４が搭載されている。
その上方には板ばね３６が配置され、更にその板ばね３６の上面がメンブレンシート３８にて被覆されている。
【００１６】
スイッチ３３は、図３にも示しているように上記複数のスイッチ操作部２８-１〜２８-５にそれぞれ対応した複数のスイッチ３３-１，３３-２，３３-３，３３-４，３３-５から成っている。
またＩＣチップ３４も同様に、スイッチ操作部２８-１〜２８-５に対応した複数のＩＣチップ３４-１，３４-２，３４-３，３４-４，３４-５から成っている。
【００１７】
ここで５つのＩＣチップ３４-１〜３４-５は、５つのスイッチ３３-１〜３３-５のそれぞれに１個ずつ割り当てられている。
詳しくはスイッチ３３-１に対してＩＣチップ３４-１が、またスイッチ３３-２に対してＩＣチップ３４-２が割り当てられている。
ＩＣチップ３４-３〜３４-５も同様にして、スイッチ３３-３〜３３-５のそれぞれに１つずつ割り当てられている。
【００１８】
基板３２上にはまた、ＩＣチップ３４-１〜３４-５の各々に共通のアンテナ４２が設けられている。
本実施形態では、アンテナ４２とＩＣチップ３４-１とでスイッチ３３-１に対応した、即ちスイッチ操作部２８-１に対応した無線タグが構成され、またＩＣチップ３４-２とアンテナ４２とでスイッチ３３-２に対応した、即ちスイッチ操作部２８-２に対応した無線タグが構成されている。
【００１９】
以下同様にＩＣチップ３４-３とアンテナ４２とで、スイッチ３３-３及びスイッチ操作部２８-３に対応した無線タグが構成され、更にＩＣチップ３４-４とアンテナ４２とで、スイッチ３３-４及びスイッチ操作部２８-４に対応した無線タグが、またＩＣチップ３４-５とアンテナ４２とで、スイッチ３３-５及びスイッチ操作部２８-５に対応した無線タグが構成されている。
【００２０】
取付基体としてのカウンタ１４にはまた、その裏側（図中下側）の位置においてタグリーダ４４が、リモコン本体２４に対面するようにして設けられている。
４６はそのタグリーダ４４における基板で、この基板４６上にアンテナ４８が設けられている。
【００２１】
リモコン本体２４とタグリーダ４４とは、それらに備えられたアンテナ４２と４８とが丁度上下に対面するようにして、それぞれの位置が定められている。
このタグリーダ４４からは配線コード（電気配線コード）５０が延び出しており、この配線コード５０が水栓２０における制御部に接続されている。
【００２２】
この実施形態では、タグリーダ４４のアンテナ４８からリモコン本体２４側に向って電波が発射され、そしてリモコン本体２４側ではその発射された電波をアンテナ４２で受けて電磁誘導により微弱な電力を発生させる。
そして発生した電力によって各ＩＣチップ３４-１〜３４-５を動作させ、それぞれのＩＣチップ３４-１〜３４-５に記憶させてある識別情報をアンテナ４２からタグリーダ４４に向って送信する。
タグリーダ４４はその信号をアンテナ４８で受信し、そして配線コード５０を通じて有線で水栓２０の制御部へと伝送する。
【００２３】
但しリモコン本体２４側のスイッチ３３-１〜３４-５の何れもがオン操作されていないときには、図３に示す回路は遮断状態にあって、リモコン本体２４側の無線タグは何れも動作しない。
一方スイッチ３３-１〜３４-５の何れかがオン操作されているときには、そのオン操作されたスイッチに対応したＩＣチップ３４、即ち無線タグが動作する。
【００２４】
例えばスイッチ３３-１がオン操作された場合には、これに対応したＩＣチップ３４-１が動作して、そこに記憶された固有の識別情報（ＩＤ）がアンテナ４２から信号として送信される。
タグリーダ４４は、これをアンテナ４８で受信して、その固有の識別信号を水栓２０に伝送する。
そして水栓２０はその識別信号に対応した動作を行う。
具体的には、スイッチ操作部２８-１によりスイッチ３３-１をオン操作したときには、ＩＣチップ３４-１に記憶された固有の識別情報が水栓２０へと伝送され、水栓２０はこれを受けて吐止水の動作を行う。
【００２５】
一方スイッチ３３-２がスイッチ操作部２８-２にてオン操作されたときには、ＩＣチップ３４-２の有する固有の識別情報が水栓２０に信号として伝送され、水栓２０はこれを受けて吐水の流量を減少させるように動作する。
また一方スイッチ３４-３がスイッチ操作部２８-３にてオン操作されたときには、ＩＣチップ３４-３に記憶されている固有の識別情報が信号として水栓２０に伝送され、水栓２０はこれを受けて吐水の流量を増大させるように動作する。
他のスイッチ３４-４，３４-５が対応するスイッチ操作部２８-４，２８-５にてオン操作された場合にも、それぞれに対応したＩＣチップ３２-４，３２-５に記憶されている識別情報が水栓２０に伝送され、水栓２０がこれに対応した動作を行う。
【００２６】
一方カウンタ１４に取付状態にあるリモコン本体２４を取り外すと、リモコン本体２４のアンテナ４２とタグリーダ４４のアンテナ４８とは交信不能となり（それぞれのアンテナ４８，４２の交信距離がそのように定められている）、従ってその状態でリモコン本体２４のスイッチ操作部２８-１〜２８-５の何れを操作しても、水栓２０はこれに応じた動作を行わない。
尚本実施形態では、タグリーダ４４のアンテナ４８とリモコン本体２４のアンテナ４２との交信距離は１０〜５０ｍｍの範囲内に設定されている。
【００２７】
以上のように本実施形態によれば、リモコン本体２４がカウンタ１４の正規の取付位置にあるときには、リモコン本体２４のスイッチ３３を操作することで良好に水栓２０を動作させることができる一方、リモコン本体２４がカウンタ１４の正規の取付位置から外されたとき、リモコン本体２４とカウンタ１４側のタグリーダ４４とは交信不能となることから、リモコン本体２４を掃除しているときに例えスイッチ３３を操作してしまうことがあっても、そのことによって水栓２０が誤動作してしまうのを有効に防止することができる。
【００２８】
或いはリモコン本体２４を掃除その他の作業をしているときに誤って落下させたり、或いはまた子供がそのリモコン本体２４を用いて遊んだりした場合においても、水栓２０が誤動作してしまうのを良好に防止することができる。
【００２９】
以上本発明の実施形態を詳述したがこれはあくまで一例示である。
例えば図２に示したリモコン本体の構造はあくまで一例であって、これを他の様々な構造，形態で構成することが可能である。
例えば上記実施形態では各ＩＣチップに対して１つのアンテナを共通に構成しているが、各スイッチごと即ち各ＩＣチップごとに対応するアンテナを備えておくといったことも可能である。
その他リモコン本体２４を上例とは別の個所に取り付けておくことも可能であり、またこれに対応してタグリーダもその取付個所を変更することが可能である等、本発明はその趣旨を逸脱しない範囲において種々変更を加えた形態で構成可能である。
【図面の簡単な説明】
【００３０】
【図１】本発明の一実施形態であるリモコン装置をカウンタへの設置状態で示す図である。
【図２】同実施形態のリモコン装置の要部断面図である。
【図３】同実施形態のリモコン装置の回路構成図である。
【図４】従来のリモコン装置を水栓とともに示した図である。
【符号の説明】
【００３１】
１４  カウンタ
２０  水栓
２２  リモコン装置
２４  リモコン本体
３３  スイッチ
３４  ＩＣチップ
４４  タグリーダ
【図１】
2009263941.tif 000003
【図２】
2009263941.tif 000004
【図３】
2009263941.tif 000005
【図４】
2009263941.tif 000006